(57)【要約】【課題】貼り合わせることが簡単な分割シート束を形成することのできる画像形成装置を提供する。【解決手段】シート束を複数のシート束に分割し、複数の分割シート束に対してサドルステッチャ２６により、順次綴じ動作及び折り動作を行う場合には、シートの表裏両面に画像を形成するプリンタ部１４を制御し、綴じ動作及び折り動作が終了した後の複数の分割シート束を重ねて貼り合わせる際、各分割シート束の他の分割シート束と重なり合う部分に、接着剤塗布用の余白を形成する。【選択図】図１
2009155009.tif 000002
【特許請求の範囲】
【請求項１】
シートの表裏両面に画像を形成する画像形成部と、前記画像形成部により表裏両面に画像が形成されたシートの束の中央部に対する綴じ動作及び綴じ部を境にした折り動作によりシート束を製本する製本部と、前記画像形成部によるシートに対する画像形成動作及び前記製本部によるシート束の製本動作を制御する制御部と、を備えた画像形成装置において、
前記制御部は、
前記製本部による綴じ動作が可能なシートの枚数と、製本されるシート束の枚数とを比較する比較手段と、
前記比較手段の比較結果に応じ、シート束に対して一度に前記綴じ動作及び前記折り動作を行うか、シート束を複数のシート束に分割し、複数の分割シート束に対して順次、前記綴じ動作及び前記折り動作を行うかを判断する判断手段と、
前記画像形成部を制御する画像形成制御手段と、
を備え、
前記判断手段により、分割シート束に対して順次、前記綴じ動作及び前記折り動作を行うと判断した場合には、前記綴じ動作及び前記折り動作が終了した後の複数の分割シート束を重ねて貼り合わせる際、各分割シート束の他の分割シート束と重なり合う部分に、接着剤塗布用の余白を形成するよう前記画像形成制御手段により前記画像形成部を制御することを特徴とする画像形成装置。
【請求項２】
前記制御部は、前記各分割シート束の他の分割シート束と重なり合う部分の全体を前記余白とするよう前記画像形成部を制御することを特徴とする請求項１記載の画像形成装置。
【請求項３】
前記制御部は、前記各分割シート束の他の分割シート束と重なり合う部分のうちの綴じ部側端部に前記余白を形成するよう前記画像形成部を制御することを特徴とする請求項１記載の画像形成装置。
【請求項４】
前記制御部は、前記各分割シート束の他の分割シート束と重なり合う部分に形成する画像を縮小することにより前記余白を形成するよう前記画像形成部を制御することを特徴とする請求項３記載の画像形成装置。
【請求項５】
前記制御部は、前記製本部による綴じ動作可能枚数毎に、シート束を分割することを特徴とする請求項１ないし４のいずれか１項に記載の画像形成装置。
【請求項６】
前記制御部は、分割シート束の数が任意の束数になるようにシート束を前記製本部による綴じ動作可能枚数以下で分割することを特徴とする請求項１ないし４のいずれか１項に記載の画像形成装置。
【発明の詳細な説明】
【技術分野】
【０００１】
本発明は、画像形成装置に関し、特にシートを製本処理する製本部を備えたものに関する。
【背景技術】
【０００２】
従来の画像形成装置においては、例えば、シートに画像を形成する前に、スキャナから読み取った画像データや、ホストコンピュータから送られてきた画像データを装置本体内のハードディスク等のメモリに一旦記憶するようにしたデジタル複合機がある。そして、このようなデジタル複合機では、シートに画像を形成する場合には、メモリから任意の原稿の画像データを繰り返し読み出してプリントアウトするようにしている。
【０００３】
さらに、このようなデジタル複写機としては、ステイプル、パンチ穴開け、折り、製本とじ（サドルステッチ）等の多彩な処理機能を有するシート処理装置を接続することができる高速機がある。
【０００４】
ところで、デジタル複写機に接続されるシート処理装置は、その構成によりサドルステッチ可能枚数に制限があるものがある。そして、このようなシート処理装置において、ハードディスクに保存されているページが大量の場合、製本レイアウトされて画像が形成されたシートの束を綴じる際、シート束の枚数が、サドルステッチ可能枚数を越える場合がある。
【０００５】
この場合にはシート束を綴じることができない。このため、従来のシート処理装置としては、シート束の枚数がサドルステッチ可能枚数を越える場合には、１文書のページをサドルステッチ可能枚数に分割し、サドルステッチ可能枚数毎にサドルステッチを行うようにしたものがある（特許文献１参照）。
【０００６】
【特許文献１】特開２００２−１４５５１７号公報
【発明の開示】
【発明が解決しようとする課題】
【０００７】
ところで、このような従来のシート処理装置を備えたデジタル複写機（画像形成装置）においては、１文書を複数の分割シート束に分割して処理した後、１冊のまとまった文書に製本する必要がある。この際、特許文献１のものの場合、複数のシートを折り曲げて形成した分割シート束をステイプルするようにしている。しかし、各分割シート束は、単に折り曲げられただけなので、ばらけ易く、このため複数の分割シート束をステイプルする際の、分割シート束の取り扱いが難しい。
【０００８】
一方、例えば各分割シート束をステイプルし、この後、ステイプルされた各分割シート束を貼り合わせるようにすれば、シート束がばらけることはないので、１文書を分割した場合でも、簡単に１冊のまとまった文書に製本することができる。
【０００９】
しかし、このように分割シート束を貼り合わせる場合、貼り合せ用の背表紙等の部材が必要となると共に、専用の装置が必要となることから、分割シート束を簡単に貼り合わせることができない。
【００１０】
そこで、本発明は、このような現状に鑑みてなされたものであり、貼り合わせることが簡単な分割シート束を形成することのできる画像形成装置を提供することを目的とするものである。
【課題を解決するための手段】
【００１１】
本発明は、シートの表裏両面に画像を形成する画像形成部と、前記画像形成部により表裏両面に画像が形成されたシートの束の中央部に対する綴じ動作及び綴じ部を境にした折り動作によりシート束を製本する製本部と、前記画像形成部によるシートに対する画像形成動作及び前記製本部によるシート束の製本動作を制御する制御部と、を備えた画像形成装置において、前記制御部は、前記製本部による綴じ動作が可能なシートの枚数と、製本されるシート束の枚数とを比較する比較手段と、前記比較手段の比較結果に応じ、シート束に対して一度に前記綴じ動作及び前記折り動作を行うか、シート束を複数のシート束に分割し、複数の分割シート束に対して順次、前記綴じ動作及び前記折り動作を行うかを判断する判断手段と、前記画像形成部を制御する画像形成制御手段と、を備え、前記判断手段により、分割シート束に対して順次、前記綴じ動作及び前記折り動作を行うと判断した場合には、前記綴じ動作及び前記折り動作が終了した後の複数の分割シート束を重ねて貼り合わせる際、各分割シート束の他の分割シート束と重なり合う部分に、接着剤塗布用の余白を形成するよう前記画像形成制御手段により前記画像形成部を制御することを特徴とする。
【発明の効果】
【００１２】
本発明のように、分割シート束を重ねて貼り合わせる際、各分割シート束の他の分割シート束と重なり合う部分に、分割シート束を貼り合わせるための接着剤塗布用の余白を形成することにより、貼り合わせることが簡単な分割シート束を形成することができる。
【発明を実施するための最良の形態】
【００１３】
以下、本発明を実施するための最良の形態について図面を用いて詳細に説明する。
【００１４】
図１は、本発明の第１の実施の形態に係る画像形成装置の一例であるデジタル複写機の概略構成を示す図である。デジタル複写機１００は、一般的な静電写真等により画像を形成する画像形成部であるプリンタ部１４等を備えたデジタル複写機本体１１に、画像入力手段であるリーダ部１３と、シート処理装置（以下、フィニッシャという）２３とを接続して構成されている。
【００１５】
リーダ部１３は、原稿給紙装置２１と原稿読み取り部２２とを備え、原稿給紙装置２１によって搬送された不図示の原稿を原稿読み取り部２２により読み取るものである。ここで、リーダ部１３により原稿画像が読み取られると、画像データがデジタル複写機本体１１のプリンタ部１４に送られ、プリンタ部１４では、画像データに基づいたトナー像を不図示のシートの表裏両面に形成する。そして、このようにしてトナー像が形成されたシートはトナー像が定着された後、フィニッシャ２３に排出される。
【００１６】
フィニッシャ２３は、パンチユニット２４、ステイプラ２５及び製本部であるサドルステッチャ２６等を備えている。そして、デジタル複写機本体１１から排出されたシートを排出する通常の排出モードの他、パンチモード、ステイプルモード、製本モード等の各モードに応じた処理が可能となっている。
【００１７】
例えば、シートを処理することなく排出させる通常の排出モードの場合は、デジタル複写機本体１１から排出されたシートをサンプルトレイ２７に向かわせる。また、シートをステイプルして排出するステイプルモードの場合は、シート束をステイプラ２５により綴じた後、排紙口３０を通り、スタックトレイ２８に排出する。なお、シートに対してパンチ処理を行うパンチモードの場合は、パンチユニット２４によりシートに対してパンチ処理を行う。
【００１８】
また、シートを中綴じ製本処理する製本モードの場合には、シートをサドルステッチャ２６に搬送し、このサドルステッチャ２６において、シート束の中央部をステイプルした後、シート束の中央部を折ることによりシート束を製本する。なお、製本処理されたシート束は、この後、排紙口３１を通り、製本トレイ２９に排出される。
【００１９】
なお、図２は、このような構成のデジタル複写機１００の制御ブロック図である。図２において、１５は画像入出力制御部であり、この画像入出力制御部１５には、操作部１２、リーダ部１３、プリンタ部１４が接続されている。
【００２０】
そして、リーダ部１３が原稿画像を読み取ると、リーダ部１３から原稿画像に応じた画像データがプリンタ部１４及び画像入出力制御部１５へ出力され、プリンタ部１４はリーダ部１３及び画像入出力制御部１５からの画像データに応じた画像をシートに形成する。なお、操作部１２はデジタル複写機本体１１及び画像入出力制御部１５を操作するために使用される。
【００２１】
また、画像入出力制御部１５は、制御部１８、コンピュータインタフェース部１６、画像メモリ１７、バックアップＲＡＭ２０及び図６、図７に示すフローチャートに対応する制御プログラム等を記憶した不図示のＲＯＭ等から構成される。
【００２２】
ここで、コンピュータインタフェース部１６は、パーソナルコンピュータ又はワークステーション（ＰＣ／ＷＳ）によって構成されるプリントサーバ１９と制御部１８の間のインターフェイスである。そして、コンピュータインタフェース部１６は、プリントサーバ１９から転送された画像を表すコードデータ（ＰＤＬ）をプリンタ部１４で記録できる画像データに展開して制御部１８に渡す。
【００２３】
バックアップＲＡＭ２０は、電源を落としても消去されないメモリであり、デジタル複写機本体１１及び画像入出力制御部１５でバックアップしておかなければならないデータを保存しておくものである。
【００２４】
制御部１８は、リーダ部１３、コンピュータインタフェース部１６、画像メモリ１７、フィニッシャ２３、不図示のＲＯＭ等の間のデータの流れを制御するものである。また、この制御部１８は、プリンタ部１４の画像形成動作及び表裏両面に画像が形成されたシートの束の中央部に対する綴じ動作及び綴じ部を境にした折り動作によりシート束を製本するサドルステッチャ２６によるシート束の製本動作を制御するものである。
【００２５】
さらに、この制御部１８は、製本レイアウト部５７２、画像合成部５７５、リーダ部１３を制御する画像形成制御手段である画像出力部５７６、サドルステッチャ２６による綴じ動作が可能なシートの枚数と、製本されるシート束の枚数とを比較する比較手段である比較部５７７を備えている。また、制御部１８は、比較部５７８の比較結果に応じ、シート束に対して一度に綴じ動作及び折り動作を行うか、シート束を複数のシート束に分割し、分割シート束に対して順次綴じ動作及び折り動作を行うかを判断する判断手段である判断部５７８を備えている。
【００２６】
ところで、本実施の形態に係るデジタル複写機１００は、シートに画像を形成する場合には、画像メモリ１７から任意の原稿の画像データを任意に、かつ繰り返し読み出してプリントアウトすることができる。例えば、製本モードの場合には、シートの表裏両面に所望のページの画像を形成することができる。
【００２７】
図３は、８ページ分の原稿読み取ってシートに原稿画像を形成した後、フィニッシャ２３の製本モードにより、左開きに製本にする場合におけるシートに対するページレイアウトを示した図である。
【００２８】
図３において、４０は１枚目のシートの表を示しており、この場合、１枚目のシートの表には、８ページ分の原稿のうち、８ページ目の原稿画像Ｐ８と、１ページ目の原稿画像Ｐ１が形成されている。また、４１は１枚目のシートの裏を示しており、この場合、１枚目のシートの裏には、２ページ目の原稿画像Ｐ２と、７ページ目の原稿画像Ｐ７が形成されている。
【００２９】
４２は２枚目のシートの表を示しており、この場合、２枚目のシートの表には６ページ目の原稿画像Ｐ６と、３ページ目の原稿画像Ｐ３が形成されている。４３は２枚目のシートの裏を示しており、この場合、２枚目のシートの裏には、４ページ目の原稿画像Ｐ４と、５ページ目の原稿画像Ｐ５が形成されている。
【００３０】
そして、８ページ原稿を左開きの製本にする場合は、図３に示すようにレイアウトされた２枚のシートを重ね合わせ、中央部をステイプルした後、その中央部を折ることで製本される。
【００３１】
図４は、このようにして左開きに製本された２枚のシートの束の製本レイアウトの模式図である。なお、図４において、６０は１枚目のシート、６１は２枚目のシート、６２は２枚のシート６０，６１の中央部をステイプルする針である。そして、図３に示すようにレイアウトされた２枚のシートを重ね合わせ、中央部をステイプルし、その中央部を折ることで図４のように２枚のシート６０，６１は製本される。
【００３２】
ところで、本実施の形態に係るフィニッシャ２３では、サドルステッチャ２６が製本処理できる枚数、即ちサドルステッチャ２６による綴じ動作が可能なシートの枚数には制限がある。例えば、サドルステッチャ２６が製本処理できる枚数が３枚の場合、画像メモリ１７に保存されている大量ページを製本レイアウトして綴じようとしても製本処理されるシートの枚数が４枚を超える場合には、製本動作ができない。
【００３３】
そこで、このような場合は、分割製本モードを選択し、１文書のページをサドルステッチ可能枚数である３枚ずつに分割すると共に、シート３枚毎にステイプルし、その中央部を折るようにしている。そして、このようにシート３枚毎に分割されたシートの束を複数形成した後、それぞれの分割シート束を貼り合わせることにより、製本するようにしている。
【００３４】
図５は、このような分割製本モードにおけるページレイアウトを示した図であり、図５において、５１、５２は左開きで順にページが割り当てられた３枚ずつの分割シート束、５３は分割シート束５１，５２の中央部をステイプルする針である。
【００３５】
ところで、図５において、Ｐ１２、Ｐ１３は、２つの分割シート束５１，５２を貼り合わせるため重ねた場合、各分割シート束５１，５２が重なり合う部分となるページである。そして、本実施の形態においては、この各分割シート束５１，５２が重なり合う部分、言い換えれば分割シート束５１，５２の境界となる２つの境界ページＰ１２、Ｐ１３を白紙としている。
【００３６】
つまり、図５の場合、トータル２２ページの元画像を３枚ずつ２つの分割シート束５１，５２に分割すると共に、製本の際、重ねられる２つ分割シート束５１，５２の境界ページＰ１２、Ｐ１３を白紙としている。そして、このように２つ分割シート束５１，５２を順に重ねた後、糊付け等により貼り合わせることにより、Ｐ１〜Ｐ２２まで、境界ページＰ１２，Ｐ１３の白紙ページを間にはさみ、左開きで順に並ぶように画像が順にレイアウトされた１冊の書類が得られる。
【００３７】
次に、このような本実施の形態における分割製本モードの手順を図６に示すフローチャートを用いて説明する。
【００３８】
まず、画像入出力制御部１５の制御部１８は、リーダ部１３により読み取った原稿画像、あるいはコンピュータインタフェース部１６から入力される原稿画像をハードディスク等の画像メモリ１７に全ページ入力（読み込み）する（Ｓ７１）。次に、制御部１８の製本レイアウト部５７２（図２参照）において、後述する図７に示すフローチャート（製本レイアウトアルゴリズム）により、例えば既述した図３又は図５に示す製本レイアウト順を決定する（Ｓ７２）。
【００３９】
次に、不図示の給紙装置によりシートの給紙を開始する（Ｓ７３）。また、Ｓ７２で決定された製本レイアウト順となるように１枚のシートの表裏両面にそれぞれ２ページ分の画像を形成するよう４ページ分の画像を読み出す（Ｓ７４）。なお、このシートが分割シート束の１枚目のシートの場合は、シートの裏面の既述した境界ページとなるページを白紙とする。また、このシートが分割シート束の１枚目のシートでない場合は、１枚のシートの表裏両面にそれぞれ４ページ分の画像を形成する。
【００４０】
次に、制御部１８の画像合成部５７５（図２参照）において、このように読み出した４ページの画像を１枚のシートの表裏両面に形成する出力画像として合成する（Ｓ７５）。この後、このように合成された画像を制御部１８の画像出力部５７６（図２参照）により給紙された１枚目のシートに出力する（Ｓ７６）。これにより、１枚目のシートの表裏両面にそれぞれ２ページ分の画像が形成される。なお、このようにシートの表裏両面に画像が形成されたシートは、この後、サドルステッチャ２６に搬送される。
【００４１】
次に、シートに分割シート束の最終ページが形成されたか否かを判断し（Ｓ７７）、最終ページが形成されていない場合には（Ｓ７７のＮ）、Ｓ７３〜Ｓ７６を繰り返す。また、最終ページが形成された場合には（Ｓ７７のＹ）、サドルステッチャ２６に搬送された複数のシートの中央部を図４に示すようにステイプルすると共に半分に折り、分割シート束を製本トレイ２９に排出する（Ｓ７８）。
【００４２】
次に、このように排出された分割シート束が、１文書の最終束か否かを判断し（Ｓ７９）、最終束でない場合には（Ｓ７９のＮ）、Ｓ７３〜Ｓ７８を繰り返す。また、最終束の場合には（Ｓ７９のＹ）、次に、最後に出力した１文書が最終部であるか否かを判断し（Ｓ８０）、最終部でない場合には（Ｓ８０のＮ）、Ｓ７２〜Ｓ７９を繰り返す。また、最終部の場合には（Ｓ８０のＹ）、終了する。
【００４３】
次に、本実施の形態における分割製本レイアウトの製本レイアウト順を決定する手順について図７に示すフローチャートを用いて説明する。
【００４４】
まず、制御部１８は比較部５７７（図２参照）により、例えばリーダ部１３により読み取った原稿の枚数が、サドルステッチャ２６が製本処理できるサドル限度枚数の４倍より多いか否かを比較する（Ｓ８１）。
【００４５】
次に、原稿枚数がサドル限度枚数の４倍よりも多い場合は（Ｓ８１のＹ）、この比較部５７７の比較結果に応じて判断部５７８（図２参照）は、シート束を複数のシート束に分割し、分割シート束に対して順次綴じ動作及び折り動作を行うと判断する。
【００４６】
そして、制御部１８は、この判断部５７８の判断に基づき、製本レイアウト部５７２（図２参照）により１部目（の分割シート束）の１ページ目から順にレイアウトし、１部目の最終ページに余白となる白色ページを挿入する（Ｓ８２）。この後、分割シート束の最後のページ全体を余白とするよう画像出力部５７６（図２参照）を介してプリンタ部１４を制御する。なお、この後、この１部目の分割シート束に対して綴じ動作及び折り動作を行うことにより、最終ページが白色ページの分割シート束が得られる。
【００４７】
次に、比較部５７７により、再度原稿枚数から１部目にレイアウトした原稿枚数を引いた枚数が、サドル限度枚数の４倍より多いかどうかを比較する（Ｓ８３）。ここで、原稿枚数がサドル限度枚数の４倍よりも多い場合は（Ｓ８３のＹ）、製本レイアウト部５７２により次部目（の分割シート束）の１ページ目に白色ページを挿入し、２ページ目以降を順にレイアウトし、最終ページに白色ページを挿入する。
【００４８】
そして、この後、１部目の分割シート束の次の分割シート束の、最初のページ及び最終ページの全体を余白とするよう画像出力部５７６を介してプリンタ部１４を制御する。なお、この後、この２部目の分割シート束に対して綴じ動作及び折り動作を行うことにより、１ページ目及び最終ページが白色ページの分割シート束が得られる。
【００４９】
更に、この後、比較部５７７により原稿枚数からこれまでにレイアウトした原稿枚数を引いた枚数が、サドル限度枚数の４倍より多いかどうかを比較する（Ｓ８５）。そして、サドル限度枚数の４倍より多い場合には（Ｓ８５のＹ）、限度枚数の４倍より少なくなるまで、Ｓ８４の処理を行う。
【００５０】
また、サドル限度枚数の４倍より少なくなった場合には（Ｓ８５のＮ）、次部目１ページ目に白色ページを挿入し、２ページ目以降を順にレイアウトし、余りページに白色ページを挿入する。なお、１部目にレイアウトした原稿枚数を引いた枚数が、サドル限度枚数の４倍より少ない場合も（Ｓ８３のＮ）、同様に次部目１ページ目に白色ページを挿入し、２ページ目以降を順にレイアウトし、余りページに白色ページを挿入する。
【００５１】
また、原稿枚数がサドル限度枚数の４倍よりも少なければ（Ｓ８１のＮ）、分割製本する必要がない場合なので、１ページ目より順にレイアウトし、余りページに白色ページを挿入する（Ｓ８７）。
【００５２】
ところで、本実施の形態においては、このように分割シート束の最後のページと、次の分割シート束の最初のページに、それぞれ同様に形成した白色ページを、接着剤塗布用の余白としている。
【００５３】
そして、綴じ動作及び折り動作が終了した後の複数の分割シート束を重ねて貼り合わせる際には、分割シート束の他の分割シート束と重なり合う部分である分割シート束の最後のページと、次の分割シート束の最初のページに、接着剤を塗布するようにしている。これにより、分割したシート束同士を簡単に糊付けにより貼り付けることができる。
【００５４】
このように、分割シート束を重ねて貼り合わせる際、各分割シート束の他の分割シート束と重なり合う部分に、分割シート束を貼り合わせるための接着剤塗布用の余白を形成することにより、貼り合わせることが簡単な分割シート束を形成することができる。つまり、本実施の形態のように、分割シート束の最後のページと、次の分割シート束の最初のページに、それぞれ同様の余白を形成し、この余白に糊付けすることにより、分割したシート束同士を糊付けして貼り付けることができる。
【００５５】
この結果、１文書を分割した場合でも、糊付けにより簡単に１冊のまとまった文書に製本することが可能になる。また、サドルステッチ処理できるシートの限度枚数を変更することなく、製本処理できるシートの限度枚数を増やすことができる。
【００５６】
なお、本実施の形態では、左開きで製本レイアウトする系を基にしているが、これが右開きであっても当然問題ない。また、シート束を分割する際、分割シート束の枚数をサドルステッチできる限界枚数毎、即ち綴じ動作可能枚数毎としているが、特に枚数は限定しない。
【００５７】
例えば、サドルステッチできる限界枚数で割り振ると最終束が極端に少ない枚数になる場合があり、そうしたくない場合には、全束で平均的な枚数になるように綴じ動作可能枚数以下で割り振ってもよい。さらに、サドルステッチできる限界枚数で割り振らず、ユーザー任意の部数（束数）に割り振っても良い。
【００５８】
ところで、これまでの説明においては、分割シート束の側方に次の分割シート束を重ねる場合について述べてきたが、分割シート束の間に次の分割シート束を挟み込むように重ねるようにしても良い。
【００５９】
次に、このように分割シート束の間に次の分割シート束を挟み込むように重ねるようにした本発明の第２の実施の形態について説明する。
【００６０】
図８は、本実施の形態における分割製本モードにより製本処理された製本レイアウトを示した図である。図８において、９０が１部目の分割シート束、９１が２部目の分割シート束であり、１部目の分割シート束９０の間に２部目の分割シート束９１が挟み込むように重なっている。この場合、境界ページは、１部目の分割シート束９０のＰ４とＰ１３、２部目の分割シート束９１のＰ５、Ｐ１２となる。
【００６１】
ここで、本実施の形態においては、この１部目の分割シート束９０のＰ４及び２部目の分割シート束９１のＰ５、１部目の分割シート束９０のＰ１２及び２部目の分割シート束９１のＰ１３を白色ページとする。そして、このように白色ページとなった境界ページ同士を貼り合わせることで、２部に分割された１文書を１冊に製本することができる。
【００６２】
また、これまでの説明においては、境界ページは白紙としたが、本発明はこれに限らず、例えば、境界ページの糊付けに必要な箇所だけ余白を形成するようにしても良い。
【００６３】
次に、このように分割シート束の糊付けに必要な箇所だけ余白を形成するようにした本発明の第３の実施の形態について説明する。
【００６４】
図９は、本実施の形態における製本処理されるシートに対するページレイアウトを示した図である。なお、図９においては、１６ページ分の原稿を２部に分割製本する際のページレイアウトを示している。
【００６５】
図９において、１０１は１部目（の分割シート束）の１枚目のシートの表を示しており、この場合、１枚目のシートの表には、１６ページ分の原稿のうち、８ページ目の原稿画像Ｐ８と、１ページ目の原稿画像Ｐ１が形成されている。また、１０２は１部目の１枚目のシートの裏を示しており、この場合、１枚目のシートの裏には、２ページ目の原稿画像Ｐ２と、７ページ目の原稿画像Ｐ７が形成されている。
【００６６】
１０３は１部目の２枚目のシートの表を示しており、この場合、２枚目のシートの表には６ページ目の原稿画像Ｐ６と、３ページ目の原稿画像Ｐ３が形成されている。１０４は１部目の２枚目のシートの裏を示しており、この場合、２枚目のシートの裏には、４ページ目の原稿画像Ｐ４と、５ページ目の原稿画像Ｐ５が形成されている。
【００６７】
１０５は２部目（の分割シート束）の１枚目のシートの表を示しており、この場合、１枚目のシートの表には、１６ページ分の原稿のうち、１６ページ目の原稿画像Ｐ１６と、９ページ目の原稿画像Ｐ９が形成されている。また、１０６は２部目の１枚目のシートの裏を示しており、この場合、１枚目のシートの裏には、１０ページ目の原稿画像Ｐ１０と、１５ページ目の原稿画像Ｐ１５が形成されている。
【００６８】
１０７は２部目の２枚目のシートの表を示しており、この場合、２枚目のシートの表には１４ページ目の原稿画像Ｐ１４と、１１ページ目の原稿画像Ｐ１１が形成されている。１０８は２部目の２枚目のシートの裏を示しており、この場合、２枚目のシートの裏には、１２ページ目の原稿画像Ｐ１２と、１３ページ目の原稿画像Ｐ１３が形成されている。
【００６９】
ここで、１部目の分割シート束と２部目の分割シート束を貼り付ける場合、境界ページは、図１０に示すように１部目の分割シート束のＰ８と、２部目の分割シート束のＰ９となる。そして、本実施の形態においては、この境界ページとなるＰ８，Ｐ９の綴じ部側端部に余白１０９，１１０を設けるようにしている。
【００７０】
なお、このように境界ページとなるＰ８，Ｐ９の綴じ部側端部に余白を設けるため、制御部１８は、画像出力部５７６を介してプリンタ部１４を制御し、Ｐ８，Ｐ９に形成する画像を残りのシート幅にあわせ縮小すると共に、シートに収まるよう形成する。
【００７１】
そして、図１０に示すように、１部目の分割シート束のＰ８と、２部目の分割シート束のＰ９の綴じ部側端部に形成された余白同士を貼り合わせることで、２部に分割された１文書を１冊に製本することができる。
【図面の簡単な説明】
【００７２】
【図１】本発明の第１の実施の形態に係る画像形成装置の一例であるデジタル複写機の概略構成を示す図。
【図２】上記デジタル複写機の制御ブロック図。
【図３】上記デジタル複写機に設けられたシート処理装置によって製本処理されるシートに対するページレイアウトを示した図。
【図４】上記シート処理装置により製本処理された製本レイアウトの模式図。
【図５】上記シート処理装置の分割製本モードにおけるページレイアウトを示した図。
【図６】上記分割製本モードの手順を示すフローチャート。
【図７】上記分割製本レイアウトの製本レイアウト順を決定する手順を示すフローチャート。
【図８】本発明の第２の実施の形態に係るデジタル複写機に設けられたシート処理装置によって製本処理された製本レイアウトを示した図。
【図９】本発明の第３の実施の形態に係るデジタル複写機に設けられたシート処理装置によって製本処理されるシートに対するページレイアウトを示した図。
【図１０】上記シート処理装置により製本処理された製本レイアウトの模式図。
【符号の説明】
【００７３】
１１            デジタル複写機本体
１４            プリンタ部
１８            制御部
２３            シート処理装置（フィニッシャ）
２６            サドルステッチャ
５１，５２      分割シート束
６０，６１      シート
９０，９１      分割シート束
１００          デジタル複写機
１０９，１１０  余白
５７２          製本レイアウト部
５７５          画像合成部
５７６          画像出力部
５７７          比較部
５７８          判断部
【図１】
2009155009.tif 000003
【図２】
2009155009.tif 000004
【図３】
2009155009.tif 000005
【図４】
2009155009.tif 000006
【図５】
2009155009.tif 000007
【図６】
2009155009.tif 000008
【図７】
2009155009.tif 000009
【図８】
2009155009.tif 000010
【図９】
2009155009.tif 000011
【図１０】
2009155009.tif 000012